(57)【要約】【課題】  施設情報を無線伝送するコントロールセンタの提供。【解決手段】  コントロールセンタを提供して使用者が無線情報伝送装置例えば携帯情報端末を利用して情報を取得できるようにし、使用者が無線情報伝送装置を利用し基地局を透過してコントロールセンタに無線情報伝送装置の所在位置付近の施設情報を伝送するよう要求できる。本考案のコントロールセンタコンピュータシステムは設備情報データベースを具えている。コントロールセンタは基地局の位置情報を利用するか、或いは無線情報伝送装置の位置情報を目標位置情報となし、さらに目標位置情報に基づき設備情報データベースで必要な施設情報を検索する。【選択図】        図１
0003112919.tif 000002
【実用新案登録請求の範囲】
【請求項１】
使用者が無線情報伝送装置で基地局を透過してコントロールセンタに無線情報伝送装置の所在位置付近の施設情報を要求する時に、施設情報を無線伝送するコントロールセンタにおいて、
情報を外界との間で送受信する通信システムと、
該通信システムと連結され、且つ施設情報データベースを保存するコンピュータシステムと、
を具え、該コントロールセンタが以下のメカニズム、即ち、
無線情報伝送装置のオンラインの要求を受け取り、無線情報伝送装置とコントロールセンタのオンラインを達成し、
基地局の位置情報或いは無線情報伝送装置の位置情報の少なくとも一つとされる目標位置情報を取得し、
必要な施設情報を検索し、即ち、目標位置情報に基づき必要な施設情報を、複数の施設名称と複数の施設名称の所在位置の情報を包括する施設情報データベースで検索し、
検索した施設情報を無線情報伝送装置に伝送することを達成することを特徴とする、施設情報を無線伝送するコントロールセンタ。
【請求項２】
前記施設情報を無線伝送するコントロールセンタにおいて、目標位置情報が基地局の位置情報とされて、それがコントロールセンタより基地局に伝送するように要求した基地局の位置情報であることを特徴とする、請求項１に記載の施設情報を無線伝送するコントロールセンタ。
【請求項３】
前記施設情報を無線伝送するコントロールセンタにおいて、目標位置情報が基地局の位置情報とされて、それが基地局が主動的にコントロールセンタに伝送した基地局の位置情報であることを特徴とする、請求項１に記載の施設情報を無線伝送するコントロールセンタ。
【請求項４】
前記施設情報を無線伝送するコントロールセンタにおいて、目標位置情報が無線情報伝送装置の位置情報とされ、無線情報伝送装置が主動的にコントロールセンタに伝送した無線情報伝送装置の位置情報であることを特徴とする、請求項１に記載の施設情報を無線伝送するコントロールセンタ。
【請求項５】
前記施設情報を無線伝送するコントロールセンタにおいて、前記メカニズムが無線情報伝送装置よりサービス項目の要求を提出するステップを含み、これにより必要な施設情報を検索するステップが、目標位置情報とサービス項目の要求の２項条件で施設情報データベースで必要な施設情報を検索することを含むことを特徴とする、請求項１に記載の施設情報を無線伝送するコントロールセンタ。
【請求項６】
前記施設情報を無線伝送するコントロールセンタにおいて、無線情報伝送装置が通信機能を有する携帯情報端末とされたことを特徴とする、請求項１に記載の施設情報を無線伝送するコントロールセンタ。
【請求項７】
前記施設情報を無線伝送するコントロールセンタにおいて、無線情報伝送装置が自動車に取り付けられたことを特徴とする、請求項９に記載の施設情報を無線伝送するコントロールセンタ。
【請求項８】
前記施設情報を無線伝送するコントロールセンタにおいて、目標位置情報を取得するステップ中、もしコントロールセンタが無線情報伝送装置の位置を取得する時、目標位置情報は無線情報伝送装置の位置に設定されることを特徴とする、請求項１に記載の施設情報を無線伝送するコントロールセンタ。
【考案の詳細な説明】
【技術分野】
【０００１】
本考案は一種の、施設情報を無線伝送するコントロールセンタに関する。
【背景技術】
【０００２】
伝統的に、一人の使用者が現在位置付近のある一つの施設の位置を探したい時、例えば駐車場の情報を探したい場合、一般には、地図で探すか、オンラインで電子地図で探す。しかし、伝統的な地図或いは電子地図のいずれを利用しても、地図の縮小率は相当に大きく、このため一般に使用者は相当な時間と注意力を費やし、相当に集中しなければ必要な施設の位置を探すことができない。このほか、使用者はまず現在の所在の位置を探さねばならず、即ち、使用者の先決条件は、現在の所在の位置を知ることであり、その後に、伝統的な地図の対応するページを探すか、或いは電子地図で現在の所在の位置を探さねばならない。【０００３】
このため、伝統的に一人の使用者が現在位置付近のある一つの施設の位置を探したい場合、実際には二つのステップが必要で、第１のステップは現在位置の対応地図を探すことで、第２のステップは適当な地図により現在位置付近のある一つの施設の位置を探すことである。これら二つのステップはいずれも時間がかかり、且つ使用者が第１のステップを完成できなければ、例えば使用者が現在位置を全く知らなければ、第２のステップを行うことはできなかった。【０００４】
このため、速やかな方法で、並びに使用者が現在位置を知らなくとも使用者が探したい現在位置付近のある一つの施設の位置を探せる方法が必要とされている。
【考案の開示】
【考案が解決しようとする課題】
【０００５】
本考案の主要な目的は、使用者が速やかに現在位置付近のある一つの施設、例えば、駐車場、ガソリンスタンド、交番、病院を探し出すことができる快速簡易な方法を提供することにある。【０００６】
本考案のもう一つの目的は、使用者が現在位置を知らなくても、コントロールセンタが基地局の位置を使用者の大体の位置として、使用者が探したい現在位置付近のある一つの施設の位置を捜し出すことができるようにすることにある。
【課題を解決するための手段】
【０００７】
請求項１の考案は、使用者が無線情報伝送装置で基地局を透過してコントロールセンタに無線情報伝送装置の所在位置付近の施設情報を要求する時に、施設情報を無線伝送するコントロールセンタにおいて、
情報を外界との間で送受信する通信システムと、
該通信システムと連結され、且つ施設情報データベースを保存するコンピュータシステムと、
を具え、該コントロールセンタが以下のメカニズム、即ち、
無線情報伝送装置のオンラインの要求を受け取り、無線情報伝送装置とコントロールセンタのオンラインを達成し、
基地局の位置情報或いは無線情報伝送装置の位置情報の少なくとも一つとされる目標位置情報を取得し、
必要な施設情報を検索し、即ち、目標位置情報に基づき必要な施設情報を、複数の施設名称と複数の施設名称の所在位置の情報を包括する施設情報データベースで検索し、
検索した施設情報を無線情報伝送装置に伝送することを達成することを特徴とする、施設情報を無線伝送するコントロールセンタとしている。
請求項２の考案は、前記施設情報を無線伝送するコントロールセンタにおいて、目標位置情報が基地局の位置情報とされて、それがコントロールセンタより基地局に伝送するように要求した基地局の位置情報であることを特徴とする、請求項１に記載の施設情報を無線伝送するコントロールセンタとしている。
請求項３の考案は、前記施設情報を無線伝送するコントロールセンタにおいて、目標位置情報が基地局の位置情報とされて、それが基地局が主動的にコントロールセンタに伝送した基地局の位置情報であることを特徴とする、請求項１に記載の施設情報を無線伝送するコントロールセンタとしている。
請求項４の考案は、前記施設情報を無線伝送するコントロールセンタにおいて、目標位置情報が無線情報伝送装置の位置情報とされ、無線情報伝送装置が主動的にコントロールセンタに伝送した無線情報伝送装置の位置情報であることを特徴とする、請求項１に記載の施設情報を無線伝送するコントロールセンタとしている。
請求項５の考案は、前記施設情報を無線伝送するコントロールセンタにおいて、前記メカニズムが無線情報伝送装置よりサービス項目の要求を提出するステップを含み、これにより必要な施設情報を検索するステップが、目標位置情報とサービス項目の要求の２項条件で施設情報データベースで必要な施設情報を検索することを含むことを特徴とする、請求項１に記載の施設情報を無線伝送するコントロールセンタとしている。
請求項６の考案は、前記施設情報を無線伝送するコントロールセンタにおいて、無線情報伝送装置が通信機能を有する携帯情報端末とされたことを特徴とする、請求項１に記載の施設情報を無線伝送するコントロールセンタとしている。
請求項７の考案は、前記施設情報を無線伝送するコントロールセンタにおいて、無線情報伝送装置が自動車に取り付けられたことを特徴とする、請求項９に記載の施設情報を無線伝送するコントロールセンタとしている。
請求項８の考案は、前記施設情報を無線伝送するコントロールセンタにおいて、目標位置情報を取得するステップ中、もしコントロールセンタが無線情報伝送装置の位置を取得する時、目標位置情報は無線情報伝送装置の位置に設定されることを特徴とする、請求項１に記載の施設情報を無線伝送するコントロールセンタとしている。
【考案の効果】
【０００８】
総合すると、本考案は目的、手段及び機能のいずれにおいても、周知の技術の特徴とは異なり、即ち施設情報を無線伝送する方法の一大突破である。ただし注意すべきは、上述の実施例は本考案を説明するために提示されたものであり、本考案の権利範囲は特許請求の範囲の記載を基準にし、上述の実施例に限定されるものではない。例えばＰＳＴＮ８０のコントロールセンタ１０と電話ネットワーク連結への応用の状況は、もしコントロールセンタ１０が無線のオンラインシステムを利用する場合は、必ずしもＰＳＴＮ８０を利用しない。また、コントロールセンタ１０がただ一種のサービス（例えば駐車場情報）を提供する場合、ステップＡ２とステップＣ２は不要であり、施設情報データベース２０にも施設コード２１及び施設種類２２のフィールドは不要である。或いはコントロールセンタ１０が提供する各一つのサービスがいずれも一つの電話番号に対応し、例えば電話番号ＸＸＸ１を押せば駐車場情報を要求し、電話番号ＸＸＸ３を押せば交番の情報を要求するようにすることにより、ステップＡ２及びステップＣ２が不要となる。
【考案を実施するための最良の形態】
【０００９】
本考案はコントロールセンタを提供し、使用者が無線情報伝送装置例えば携帯情報端末を利用して情報を取得できるようにし、使用者が無線情報伝送装置を利用し基地局を透過してコントロールセンタに無線情報伝送装置の所在位置付近の施設情報を伝送するよう要求できる。【００１０】
コントロールセンタは通信システムを具え、有線或いは無線の方式で情報を外界との間で送受信し、及び、コンピュータシステムを具えている。別に本考案の特徴において、コンピュータシステムは施設情報データベースを具えている。コントロールセンタは基地局の位置情報を利用するか、或いは無線情報伝送装置の位置情報（例えば無線情報伝送装置がＧＰＳ装置を具えている）を目標位置情報となし、さらに目標位置情報に基づき施設情報データベースで必要な施設情報を検索する。そのうち、施設情報データベースは複数の施設名称及び複数の施設名称の所在位置の情報を具えている。これにより、使用者が現在の所在位置、目標位置情報を知らなくても、無線情報伝送装置の最寄りの基地局に基づき、例えば基地局付近５キロメートルの区域内の駐車場を無線情報伝送装置に提供する。【００１１】
図１は本考案の実施環境表示図である。これにより本考案の大体の技術が了解できる。【００１２】
本考案はコントロールセンタ１０を提供し、使用者が無線情報伝送装置３０（例えば携帯情報端末）を利用して情報を取得できるようにする。通常無線通信の構造にあっては、大型エリア中で信頼性のある通信品質を確保するため、複数の基地局８１〜８３が設けられ、無線情報伝送装置３０が情報を送信或いは受信する必要がある時には、通常、無線情報伝送装置３０の最寄りの基地局により情報の転送と掌握とサービスを行い、例えば無線情報伝送装置３０は最寄りの基地局８１より情報転送のサービスを受ける。基地局８１は最後に転送する情報をＰＳＴＮ８０を透過してコントロールセンタ１０に伝送する。【００１３】
無線情報伝送装置３０が無線情報伝送装置３０の所在位置付近の駐車場の位置を取得したい時、例えば図１には８個の駐車場Ｐ１〜Ｐ８が示されているが、コントロールセンタ１０が駐車場に関係する情報を保存しており、本考案によると、使用者が必要とする駐車場情報を検索するための二種類の方式を提供する。第１種の方法は、無線情報伝送装置３０の最寄りの基地局８１を基準とし、基地局８１付近の駐車場情報、例えば基地局８１付近５キロメートルのエリア７１内の駐車場Ｐ１、Ｐ２、Ｐ３を提供する。第２種の方法は、無線情報伝送装置３０自身の位置を基準とし、例えば無線情報伝送装置３０から３キロメートル範囲のエリア７２内の駐車場Ｐ３、Ｐ４を提供する。当然、もし第２種の方法を採用する時は、無線情報伝送装置３０は自分で自身の所在位置を提供できなくてはならない。【００１４】
図２はコントロールセンタ１０の表示図である。コントロールセンタ１０は、通信システム１１を具え、それは有線或いは無線の方式で情報を外界との間で送受信するのに用いられる。及び、コンピュータシステム１２を具えている。このコンピュータシステム１２は通信システム１１と連結され、コンピュータシステム１２は必要なプログラムを実行するほか、本考案の特徴としてコンピュータシステム１２が施設情報データベース２０を具えている。【００１５】
図４はコントロールセンタ１０中の施設情報データベース２０の実施例を示す。【００１６】
施設情報データベース２０の有するフィールドには施設コード２１、施設種類２２、施設名称２３、座標位置２４、位置説明２５及び施設関連説明２６がある。実施例中にあって、同じ施設種類２２は同じ施設コード２１を具え、例えば駐車場の施設コード２１は１とされ、交番は３とされる。施設名称２３はその施設の具体的名称である。座標位置２４は座標システムをセルフ訂正できるか或いはＧＰＳの経緯度とされ、当然、位置コードとされることも可能で、重点は座標位置２４はある施設の位置（正確或いは大体の位置）を記載できることである。位置説明２５は施設の住所とされるか、或いは比較的明らかなランドマークとされる。施設関連説明２６は、使用者が理解できる施設の情報とされ、例えば施設種類２２が駐車場である時、施設関連説明２６は駐車場の駐車スペースの数、現在の空きスペースの数、或いは駐車料金等とされうるし、或いは施設種類２２がガソリンスタンドの時は、施設関連説明２６はガソリンスタンドの営業時間とされうる。注意すべきは、施設関連説明２６の含む情報は常時変動可能で、例えば駐車場の空きスペースの数の提供が必要であり、このためコントロールセンタ１０は常時施設情報データベース２０を更新し、例えばコントロールセンタ１０と駐車場はリアルタイム接続とされる（例えばインターネット或いは専用線を透過する）。【００１７】
図３は無線情報伝送装置３０の機能ブロック図の第１実施例である。無線情報伝送装置３０は無線通信機能を有する携帯情報端末、携帯電話（オンライン可能或いはオンライン不可）、無線通信機能を有するタブレットＰＣその他とされる。無線情報伝送装置３０は、マイクロプロセッサ３１、記憶装置３２、ディスプレイ３３、入力装置３４及び無線伝送装置３５を具えている。記憶装置３２は通常、データとプログラムを記憶しマイクロプロセッサ３１の実行に供する。ディスプレイ３３は単純に図形或いは文字を表示するほか、入力装置として使用も可能で（タッチパネル）、入力装置３４はキーボード、マウス、或いはタッチパネル処理のタッチコントロール装置とされる。無線伝送装置３５は無線信号を発射或いは受信する装置とされる。このほか、第２種は無線情報伝送装置３０自身が自身の位置が分からない時、無線情報伝送装置３０がＧＰＳ装置３８を具え（原理はアンテナを利用した宇宙の三つのＧＰＳ衛星の信号を受信し、当時のＧＰＳデータ、例えば経緯度位置を演算する）。【００１８】
以下に図５から９を参照し、本考案のフローチャートの各実施例を了解されたい。【００１９】
図５は本考案のフローチャートの第１実施例である。
ステップＡ１：
無線情報伝送装置３０がコントロールセンタ１０とのオンラインを要求し、例えば使用者が電話番号を入力し、この電話番号がコントロールセンタ１０に連接するか、或いは使用者がネットワークアドレスにアクセスし、このネットワークアドレスがコントロールセンタ１０に接続する。
ステップＢ１：
基地局８１が情報をコントロールセンタ１０に転送する。
ステップＣ１：
無線情報伝送装置３０のオンラインの要求を受け取る。最後に無線情報伝送装置３０とコントロールセンタ１０がオンライン達成する。（通常はハンドシェイキングを経過する）。
ステップＡ２：
使用者がサービス項目を選択し、例えば使用者が施設コード２１を入力し、例えば使用者が駐車場の情報を代表する１を入力する。コントロールセンタ１０は音声サービスを提供し使用者をガイドし、必要なサービスを受けるためにどの数字、文字或いは符号を入力すべきかを教える。
ステップＣ２：
コントロールセンタ１０がサービス項目の要求を受け取る。
ステップＣ３：
コントロールセンタ１０が情報転送を行った基地局８１に基地局８１の位置（例えば位置座標）或いはコードを伝送するよう要求する。このステップはコントロールセンタ１０に基地局８１の位置を知らしめ、これにより基地局８１は位置座標を伝送するほか、基地局８１のコードを伝送して、コントロールセンタ１０にどの基地局が無線情報伝送装置３０との接続を請け負う基地局であるかを知らしめ、コントロールセンタ１０はただ基地局のコードと位置索引を保存するだけで基地局のコードにより基地局の位置を知ることができる。
ステップＢ２：
コントロールセンタ１０の、基地局８１の位置或いはコードを伝送する要求を受信する。
ステップＢ３：
基地局８１の位置或いはコードを伝送する。
ステップＣ４：
基地局８１の位置或いはコードを受信する。
ステップＣ５：
サービス項目の要求と基地局８１の位置或いはコードに基づき、施設情報データベース２０を利用し必要な施設情報を検索する。もし使用者が要求するサービス項目が駐車場の情報であれば、基地局８１付近５キロメートル以内の施設を検索すると先に設定されているので、必要な施設情報は即ち基地局８１付近５キロメートル内の駐車場を要求する。当然また、使用者が自分で必要と思う距離、例えば４キロメートルを入力することもでき、この場合、必要な施設情報は基地局８１付近４キロメートル以内の駐車場の要求となる。
ステップＣ６：
コントロールセンタ１０が検索した施設情報を無線情報伝送装置３０に送る。
ステップＡ３：
無線情報伝送装置３０が検索した情報を受信し、並びに検索した情報或いは検索した情報と関連する情報を表示する。【００２０】
図６を参照されたい。それは本考案のフローチャートの第２実施例であり、第２実施例と第１実施例の主要な違いは、基地局８１が主動的に基地局８１の位置或いはコードをコントロールセンタ１０に伝送し、コントロールセンタ１０が要求を提出する必要がないことにあり、このため、第２実施例にはステップＣ３及びステップＢ２がない。【００２１】
第２実施例のフローの順序は、ステップＡ１、ステップＢ１、ステップＣ１、ステップＢ３、ステップＣ４、ステップＡ２、ステップＣ２、ステップＣ５、ステップＣ６及びステップＡ３であり、以上のステップはいずれも図５を参照して説明されている。【００２２】
図７を参照されたい。これは本考案のフローチャートの第３実施例であり、第３実施例と第２実施例の主要な違いは、ステップＢ３とステップＣ４がステップＡ２とステップＣ２と協調して行われることであり、即ち、まず、ステップＡ２及びステップＣ２でサービス項目の選択を行い、さらにステップＢ３とステップＣ４で基地局８１の位置或いはコードを処理する。このほか、使用者がステップＡ１でコントロールセンタ１０とのオンラインを要求すると同時に、使用者はまたサービス項目を選択し、例えば使用者が電話番号をダイアルすると同時に施設コード２１もダイアルし、例えば「電話番号−施設コード２１」のフォームでダイアルする。注意すべきは、第３実施例は当然、無線情報伝送装置３０とコントロールセンタ１０のオンライン達成後、さらにステップＡ２とステップＣ２を実行することである。【００２３】
第３実施例のフロー順序は、ステップＡ１、ステップＡ２、ステップＢ１、ステップＣ１、ステップＣ２、ステップＢ３、ステップＣ４、ステップＣ５、ステップＣ６及びステップＡ３であり、以上のステップはいずれも図５を参照して説明されている。【００２４】
図８を参照されたい。これは本考案のフローチャートの第４実施例であり、第４実施例と第３実施例の主要な違いは、基地局８１がステップＢ１を実行すると同時にステップＢ３を実行し、これによりコントロールセンタ１０がステップＣ１及びステップＣ２を実行すると同時にステップＣ４を実行することができ、また即ち、無線情報伝送装置３０がコントロールセンタ１０とのオンラインの要求を提出すると同時に、基地局８１が主動的に基地局８１の位置或いはコードをコントロールセンタ１０に伝送することにある。【００２５】
第４実施例のフロー順序は、ステップＡ１、ステップＡ２、ステップＢ１、ステップＢ３、ステップＣ１、ステップＣ２、ステップＣ４、ステップＣ５、ステップＣ６及びステップＡ３であり、以上のステップはいずれも図５を参照して説明されている。【００２６】
図９を参照されたい。これは本考案のフローチャートの第５実施例であり、第５実施例と上述の第１から第４実施例との主要な違いは、第５実施例では無線情報伝送装置３０がＧＰＳ装置３８を具え、これにより自身の位置をコントロールセンタ１０に伝送できることにある。【００２７】
ステップＡ１、ステップＢ１、ステップＣ１：
以上のステップはいずれも図５の説明を参照されたい。
ステップＡ２：
使用者がサービス項目を選択し且つ同時にステップＡ２−１を実行する。
ステップＡ２−ｂ３：
無線情報伝送装置３０の位置をコントロールセンタ１０に伝送する。
ステップＣ２：
コントロールセンタ１０がサービス項目の要求を受け取り且つステップＣ２−１を実行する。
ステップＣ４−１：
無線情報伝送装置３０の位置を受信する。
ステップＣ５−１：
ステップＣ５に類似するが、ただし目標位置情報は無線情報伝送装置３０の位置とされ、第１から第４実施例中の目標位置情報が基地局８１の位置とされているのとは異なる。
ステップＣ６、ステップＡ３：
以上のステップはいずれも図５の説明を参照されたい。注意すべきは、第１から第４の実施例中のステップＢ３の代わりにステップＡ２−ｂ３が設けられ、ステップＣ４の代わりにステップＣ４−１が設けられ、且つステップＣ５の代わりにステップＣ５−１が設けられ、これにより第５実施例において目標位置情報は無線情報伝送装置３０の位置とされる。【００２８】
図１０は本考案のフローチャートの第６実施例である。この実施例ではコントロールセンタ１０に対して異なる処理フローを採用し、上述の実施例との主要な違いは、もし無線情報伝送装置３０に自身の位置を提供する機能があれば、即ち第６実施例の目標位置情報には無線情報伝送装置３０の位置を採用し、もし無線情報伝送装置３０に自身の位置を提供する機能がなければ目標位置情報には基地局８１の位置を採用する。
ステップＣ１１：
無線情報伝送装置３０の情報を受信し、上述のステップＣ２のサービス項目の要求受信と、上述のステップＣ４−１の無線情報伝送装置３０の位置を受信するステップを含む。そのうち、無線情報伝送装置３０の設備に対応することが必要で、コントロールセンタ１０は必ずしも無線情報伝送装置３０の位置を受信せず、ゆえにステップＣ４−１は設けられない可能性がある。
ステップＣ１２：
無線情報伝送装置３０の位置があるかを判断する。即ち、ステップＣ１１がステップＣ４−１を含むか否か、或いはステップＣ１１がステップＣ４−１を含むが受け取った無線情報伝送装置３０の位置に問題があるかを判断する。もし無線情報伝送装置３０の位置を受け取れば、ステップＣ１３を実行し、受け取っていなければステップＣ１４を実行する。
ステップＣ１３：
目標位置情報を無線情報伝送装置３０の位置に設定する。
ステップＣ１４：
ステップＣ３と同じで、基地局８１に基地局８１の位置或いはコードを伝送するよう要求する。
ステップＣ１５：
目標位置情報を基地局８１の位置に設定する。
ステップＣ１６：
ステップＣ５或いはステップＣ５−１と同じで、サービス項目の要求及び目標位置情報に基づき施設情報データベース２０を利用し必要な施設情報を検索する。
ステップＣ１７：
ステップＣ６と同じで、検索した施設情報を無線情報伝送装置３０に伝送する。【００２９】
注意すべきは、第６実施例の主要な目的は、目標位置情報の優先設定は無線情報伝送装置３０の位置であり、ゆえにもし基地局８１が主動的に基地局８１の位置或いはコードをコントロールセンタ１０に伝送することも可能で、反対に、コントロールセンタ１０が無線情報伝送装置３０の位置と基地局８１の位置を受け取った時、コントロールセンタ１０の優先設定は無線情報伝送装置３０の位置であることである。【００３０】
図１１は無線情報伝送装置３０の第２実施例を示す。本実施例の表示する無線情報伝送装置３０ａは車両に取り付けられ、このとき、無線情報伝送装置３０ａは車両上の電子装置とされうる。このとき無線情報伝送装置３０ａは通常、マイクロプロセッサ３１、記憶装置３２、ディスプレイ３３、入力装置３４、携帯電話装置３６、音声放送装置３７及びＧＰＳ装置３８を具え、そのうち無線情報伝送装置３０ａは携帯電話装置３６を透過してコントロールセンタ１０と連絡する。車両上にもしＧＰＳ装置３８が取り付けられていれば、記憶装置３２は通常電子地図（カード式メモリ或いはビルトイン式メモリに格納されるか、或いは携帯電話装置３６を透過してダウンロードされる）、これにより、コントロールセンタ１０の施設情報を獲得する時、施設を電子地図上にマーキングできる。注意すべきは、実際には携帯電話装置３６は無線情報伝送装置３０と見なすことができ、この携帯電話装置３６と車両上のその他のアクセサリが組み合わせて使用される。
【図面の簡単な説明】
【００３１】
【図１】本考案の実施環境表示図である。
【図２】本考案のコントロールセンタ表示図である。
【図３】本考案の無線情報伝送装置の第１実施例の機能ブロック図である。
【図４】本考案のコントロールセンタ中の施設情報データベースの実施例図である。
【図５】本考案のフローチャートの第１実施例である。
【図６】本考案のフローチャートの第２実施例である。
【図７】本考案のフローチャートの第３実施例である。
【図８】本考案のフローチャートの第４実施例である。
【図９】本考案のフローチャートの第５実施例である。
【図１０】本考案のフローチャートの第６実施例である。
【図１１】本考案の無線情報伝送装置の第２実施例の機能ブロック図である。
【符号の説明】
【００３２】
１０  コントロールセンタ          １１  通信システム
１２  コンピュータシステム        ２０  施設情報データベース
２１  施設コード                  ２２  施設種類
２３  施設名称                    ２４  座標位置
２５  位置説明                    ２６  施設関連説明
３０  無線情報伝送装置            ３１  マイクロプロセッサ
３２  記憶装置                    ３３  ディスプレイ
３４  入力装置                    ３５  無線伝送装置
３６  携帯電話装置                ３７  音声放送装置
３８  ＧＰＳ装置                  ７１  エリア
７２  エリア                      ８０  ＰＳＴＮ
８１〜８３  基地局                Ｐ１〜Ｐ８  駐車場
【図１】
0003112919.tif 000003
【図２】
0003112919.tif 000004
【図３】
0003112919.tif 000005
【図４】
0003112919.tif 000006
【図５】
0003112919.tif 000007
【図６】
0003112919.tif 000008
【図７】
0003112919.tif 000009
【図８】
0003112919.tif 000010
【図９】
0003112919.tif 000011
【図１０】
0003112919.tif 000012
【図１１】
0003112919.tif 000013
【手続補正書】
【提出日】平成17年6月7日(2005.6.7)
【手続補正１】
【補正対象書類名】実用新案登録請求の範囲
【補正対象項目名】全文
【補正方法】変更
【補正の内容】
【実用新案登録請求の範囲】
【請求項１】
使用者が無線情報伝送装置で基地局を透過してコントロールセンタに無線情報伝送装置の所在位置付近の施設情報を要求する時に、施設情報を無線伝送するコントロールセンタにおいて、
情報を外界との間で送受信する通信システムと、
該通信システムと連結され、且つ施設情報データベースを保存するコンピュータシステムと、
を具え、該コントロールセンタが以下のメカニズム、即ち、
無線情報伝送装置のオンラインの要求を受け取り、無線情報伝送装置とコントロールセンタのオンラインを達成し、
基地局の位置情報或いは無線情報伝送装置の位置情報の少なくとも一つとされる目標位置情報を取得し、
必要な施設情報を検索し、即ち、目標位置情報に基づき必要な施設情報を、複数の施設名称と複数の施設名称の所在位置の情報を包括する施設情報データベースで検索し、
検索した施設情報を無線情報伝送装置に伝送することを達成することを特徴とする、施設情報を無線伝送するコントロールセンタ。
【請求項２】
前記施設情報を無線伝送するコントロールセンタにおいて、目標位置情報が基地局の位置情報とされて、それがコントロールセンタより基地局に伝送するように要求した基地局の位置情報であることを特徴とする、請求項１に記載の施設情報を無線伝送するコントロールセンタ。
【請求項３】
前記施設情報を無線伝送するコントロールセンタにおいて、目標位置情報が基地局の位置情報とされて、それが基地局が主動的にコントロールセンタに伝送した基地局の位置情報であることを特徴とする、請求項１に記載の施設情報を無線伝送するコントロールセンタ。
【請求項４】
前記施設情報を無線伝送するコントロールセンタにおいて、目標位置情報が無線情報伝送装置の位置情報とされ、無線情報伝送装置が主動的にコントロールセンタに伝送した無線情報伝送装置の位置情報であることを特徴とする、請求項１に記載の施設情報を無線伝送するコントロールセンタ。
【請求項５】
前記施設情報を無線伝送するコントロールセンタにおいて、前記メカニズムが無線情報伝送装置よりサービス項目の要求を提出するステップを含み、これにより必要な施設情報を検索するステップが、目標位置情報とサービス項目の要求の２項条件で施設情報データベースで必要な施設情報を検索することを含むことを特徴とする、請求項１に記載の施設情報を無線伝送するコントロールセンタ。
【請求項６】
前記施設情報を無線伝送するコントロールセンタにおいて、無線情報伝送装置が通信機能を有する携帯情報端末とされたことを特徴とする、請求項１に記載の施設情報を無線伝送するコントロールセンタ。
【請求項７】
前記施設情報を無線伝送するコントロールセンタにおいて、無線情報伝送装置が自動車に取り付けられたことを特徴とする、請求項１に記載の施設情報を無線伝送するコントロールセンタ。
【請求項８】
前記施設情報を無線伝送するコントロールセンタにおいて、目標位置情報を取得するステップ中、もしコントロールセンタが無線情報伝送装置の位置を取得する時、目標位置情報は無線情報伝送装置の位置に設定されることを特徴とする、請求項１に記載の施設情報を無線伝送するコントロールセンタ。
【手続補正２】
【補正対象書類名】明細書
【補正対象項目名】０００７
【補正方法】変更
【補正の内容】
【０００７】
請求項１の考案は、使用者が無線情報伝送装置で基地局を透過してコントロールセンタに無線情報伝送装置の所在位置付近の施設情報を要求する時に、施設情報を無線伝送するコントロールセンタにおいて、
情報を外界との間で送受信する通信システムと、
該通信システムと連結され、且つ施設情報データベースを保存するコンピュータシステムと、
を具え、該コントロールセンタが以下のメカニズム、即ち、
無線情報伝送装置のオンラインの要求を受け取り、無線情報伝送装置とコントロールセンタのオンラインを達成し、
基地局の位置情報或いは無線情報伝送装置の位置情報の少なくとも一つとされる目標位置情報を取得し、
必要な施設情報を検索し、即ち、目標位置情報に基づき必要な施設情報を、複数の施設名称と複数の施設名称の所在位置の情報を包括する施設情報データベースで検索し、
検索した施設情報を無線情報伝送装置に伝送することを達成することを特徴とする、施設情報を無線伝送するコントロールセンタとしている。
請求項２の考案は、前記施設情報を無線伝送するコントロールセンタにおいて、目標位置情報が基地局の位置情報とされて、それがコントロールセンタより基地局に伝送するように要求した基地局の位置情報であることを特徴とする、請求項１に記載の施設情報を無線伝送するコントロールセンタとしている。
請求項３の考案は、前記施設情報を無線伝送するコントロールセンタにおいて、目標位置情報が基地局の位置情報とされて、それが基地局が主動的にコントロールセンタに伝送した基地局の位置情報であることを特徴とする、請求項１に記載の施設情報を無線伝送するコントロールセンタとしている。
請求項４の考案は、前記施設情報を無線伝送するコントロールセンタにおいて、目標位置情報が無線情報伝送装置の位置情報とされ、無線情報伝送装置が主動的にコントロールセンタに伝送した無線情報伝送装置の位置情報であることを特徴とする、請求項１に記載の施設情報を無線伝送するコントロールセンタとしている。
請求項５の考案は、前記施設情報を無線伝送するコントロールセンタにおいて、前記メカニズムが無線情報伝送装置よりサービス項目の要求を提出するステップを含み、これにより必要な施設情報を検索するステップが、目標位置情報とサービス項目の要求の２項条件で施設情報データベースで必要な施設情報を検索することを含むことを特徴とする、請求項１に記載の施設情報を無線伝送するコントロールセンタとしている。
請求項６の考案は、前記施設情報を無線伝送するコントロールセンタにおいて、無線情報伝送装置が通信機能を有する携帯情報端末とされたことを特徴とする、請求項１に記載の施設情報を無線伝送するコントロールセンタとしている。
請求項７の考案は、前記施設情報を無線伝送するコントロールセンタにおいて、無線情報伝送装置が自動車に取り付けられたことを特徴とする、請求項１に記載の施設情報を無線伝送するコントロールセンタとしている。
請求項８の考案は、前記施設情報を無線伝送するコントロールセンタにおいて、目標位置情報を取得するステップ中、もしコントロールセンタが無線情報伝送装置の位置を取得する時、目標位置情報は無線情報伝送装置の位置に設定されることを特徴とする、請求項１に記載の施設情報を無線伝送するコントロールセンタとしている。